(57)【特許請求の範囲】
【請求項１】
電子現像型記録媒体に被写体像を記録するよう構成された電子現像型カメラであって、
前記電子現像型記録媒体に帯電する静電気を除去するために、前記電子現像型記録媒体の挿入口近傍に設けられた静電気除去手段を備え、この静電気除去手段が前記電子現像型記録媒体に接触しつつ互いに相対移動することにより、前記電子現像型記録媒体表面の塵埃を除去することを特徴とする電子現像型カメラ。
【請求項２】
前記静電気除去手段が、導電性ファイバによりなる多数の植毛列より構成されることを特徴とする請求項１に記載の電子現像型カメラ。
【請求項３】
前記静電気除去手段と前記電子現像型記録媒体表面が相対移動する操作部を備えたことを特徴とする請求項１に記載の電子現像型カメラ。
【請求項４】
前記静電気除去手段が、前記電子現像型記録媒体表面に接触する位置より待避可能なことを特徴とする請求項１に記載の電子現像型カメラ。
【発明の詳細な説明】
【０００１】
【産業上の利用分野】
本発明は、電子現像型記録媒体を用いたカメラに関し、特に電子現像型記録媒体表面に付着する塵埃を有効に除去できる電子現像型カメラに関する。
【０００２】
【従来の技術】
従来、撮像レンズにより得られた光学像を電子的に現像することができる写真材料が知られており、例えば特開平５−２２８０号公報には、静電情報記録媒体と電荷保持媒体とを組み合わせた記録媒体が開示されている。この明細書では、このような記録媒体を電子現像型記録媒体と呼び、また、この電子現像型記録媒体を用いたカメラを電子現像型カメラと呼ぶ。
【０００３】
上記公報に記載された電子現像型記録媒体において、静電情報記録媒体は光導電層と無機酸化物層を有し、電荷保持媒体は液晶表示素子を有している。この構成では、静電情報記録媒体と電荷保持媒体に電圧が印加された状態で静電情報記録媒体が露光されると、入射光量に応じた電荷が静電情報記録媒体に生成される。静電情報記録媒体に対向して配置された液晶表示素子にかかる電界の強さは、その生成電荷に応じて変化するので、液晶表示素子には光量分布に応じた画像が表示すなわち現像される。
【０００４】
【発明が解決しようとする課題】
しかしながら、上述したような電子現像型カメラでは、例えば電子現像型記録媒体に帯電する静電気に起因して、電子現像型記録媒体表面に塵埃が付着することがあり、このような状態で撮影が行われると、記録画像に塵埃が写り込むという問題がある。
【０００５】
本発明は、上記課題を解決するものであり、電子現像型記録媒体を用いたカメラにおいて、カメラ本体に装填される電子現像型記録媒体に付着する塵埃を有効に除去することを目的としている。
【０００６】
【課題を解決するための手段】
本発明に係る電子現像型カメラは、上記課題を解決するため、電子現像型記録媒体に被写体像を記録するよう構成された電子現像型カメラであって、
電子現像型記録媒体に帯電する静電気を除去する静電気除去手段を備え、この静電気除去手段が電子現像型記録媒体に接触することにより、電子現像型記録媒体表面の塵埃を除去することを特徴としている。
【０００７】
【実施例】
以下図示実施例により本発明を説明する。
図１は本発明の第１実施例に係る電子現像型カメラの外観図である。本実施例に用いられるスチルビデオカメラは電子現像型カメラであり、電子現像型記録媒体によって画像を現像し、可視像として保持するように構成されている。
【０００８】
カメラ本体１１を前方から見ると、前面の略中央には、撮像レンズを備えた撮像光学系１２が設けられ、撮像光学系１２の後方にはクイックリターンミラー２１が回動自在に設けられる。クイックリターンミラー２１は通常、図１に示す傾斜状態に定められ、撮像光学系１２からの被写体像を、ファインダミラー１５ａを介してファインダ１５に導いているが、撮影時、クイックリターンミラー２１が水平状態（図示せず）に定められ、被写体像は、撮像光学系１２、補正光学系２４等の作用により電子現像型記録媒体３０の各記録面に結像する。
【０００９】
記録ユニット２２は、カメラ本体１１に装着された状態において、クイックリターンミラー２１の後方に配置され、電子現像型記録媒体３０の各記録面を同一平面上に保持している。分離光学系２３は、撮像光学系１２と記録ユニット２２の間に設けられ、撮像光学系１２からの光束を例えば赤、青、緑の各色光成分に分離し、補正光学系２４は、分離された各光束が同一平面上に結像するよう、両端の光束の光路長をそれぞれ補正している。撮像光学系１２の左上方にはレリーズスイッチ１４が設けられ、レリーズスイッチ１４を押下することにより図示しない制御回路の制御に基づいて撮影動作が行われ、被写体像が電子現像型記録媒体３０に記録される。
【００１０】
ファインダ１５はカメラ本体１１上面の中央部に設けられ、このカメラにより得られた画像信号を外部の記録装置等に出力するため、カメラ本体１１の側面には出力端子１７が配設される。またカメラ本体１１の側面には記録ユニット挿入蓋１８が、軸４７（図２）回りに回動自在に設けられる。記録ユニット挿入蓋１８を開放すると、記録ユニット挿入口１９が外部に露出し、電子現像型記録媒体３０を保持する記録ユニット２２が着脱可能となる。
【００１１】
図２および図３（ａ）は、除電ブラシ４１を説明するための図である。
除電ブラシ４１には、板部材４１ｂの一方の面に多数の植毛列４１ａが、板部材４１ｂに植設されている。除電ブラシ４１の長さは、電子現像型記録媒体３０の幅（図１において上下方向）より長く形成され、記録ユニット２２の挿入または排出時、電子現像型記録媒体３０の表面に形成された記録面全体に摺接するように延設されている。
【００１２】
板部材４１ｂおよび植毛列４１ａは、導伝材料で形成され、例えば植毛列４１ａは、カーボンファイバ等の導伝性ファイバにより形成される。また後述する保持部４３等も導伝性を有し、これらはカメラ本体１１の枠体に電気的に接続しており、電子現像型記録媒体３０表面の静電気が除去されるようになっている。これにより静電気に起因する電子現像型記録媒体３０への塵埃の付着が防がれる。
【００１３】
保持部４３は、記録ユニット挿入口１９縁部に設けられた軸４７回りに回動自在に設けられ、除電ブラシ４１は、保持部４３の上下に形成された係止部４３ａおよび左右に形成された弾性部４３ｂにより保持部４３に保持される。除電ブラシ４１は、弾性部４３ｂの一方を撓ませることにより保持部４３に対して着脱可能であリ、例えば植毛列４１ａの清掃、交換等が容易に行える。
【００１４】
トーションバネ４５は、軸４７に巻回され、一端で記録ユニット挿入口１９近傍のカメラ本体１１の枠体に係止し、他端で保持部４３の植毛列４１ａが形成される面の裏面に係止している。
【００１５】
図４は、記録ユニット２２が装着されていない状態、図５は、記録ユニット２２の挿入または排出動作中の状態を示す。
【００１６】
非作動時、保持部４３は、トーションバネ４５のねじりバネ力により記録ユニット挿入口１９を覆う位置にある。したがって記録ユニット挿入蓋１８が開放した状態では、図４に示すように植毛列４１ａが記録ユニット挿入口１９より表出している。これにより塵埃等がカメラ内部に進入することが防止される。
【００１７】
記録ユニット２２の挿入または排出動作時においては、除電ブラシ４１および保持部４３は、記録ユニット２２に押圧されることにより、トーションバネ４５のねじりバネ力に抗してカメラ本体１１の内方へ回動され、除電ブラシ４１の植毛列４１ａは電子現像型記録媒体３０の記録面に対してほぼ垂直な状態に定められる。したがって記録ユニット２２の移動により植毛列４１ａの先端は、記録ユニット２２と電子現像型記録媒体３０に摺接する。これにより電子現像型記録媒体３０表面に付着している塵埃が除去されるとともに、電子現像型記録媒体に帯電する静電気が除去され、塵埃の付着が未然に防がれる。すなわち電子現像型記録媒体３０表面の塵埃が有効に除去される。
【００１８】
図６は電子現像型記録媒体３０の構成を示す図であり、これは特開平５−２２８０号公報に開示されたものと同じである。すなわち電子現像型記録媒体３０は静電情報記録媒体３１と電荷保持媒体３２と電源３３とを備えている。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に液晶４０を封入して構成される。静電情報記録媒体３１の電荷輸送層３７ｂと電荷保持媒体３２の液晶支持体３８とは微小間隙をもって対向している。
【００１９】
電源３３は記録媒体駆動回路（図示せず）によりオンオフ制御され、電源３３がオン状態のとき、電極層３５と液晶電極層３９の間、すなわち静電情報記録媒体３１と電荷保持媒体３２に電圧が印加される。この電圧印加状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２は分散型液晶表示素子であり、現像された可視像は電界を除去しても保持される。
【００２０】
図３（ｂ）は、本実施例の除電ブラシ保持部４３の他の例を示す。
この他の例の保持部４３の弾性部４３ｂ、４３ｃでは、一方４３ｂが短く、他方４３ｃが長く形成されており、短い方の弾性部４３ｂを撓ませることにより、上記実施例の保持部より除電ブラシ４１の着脱が容易になっている。
【００２１】
図７〜１１は、本発明の第２実施例に係る電子現像型カメラの外観図である。第２実施例では、第１実施例と同様、記録ユニット２２の挿入あるいは排出時に除電ブラシ４１の植毛列４１ａの先端が電子現像型記録媒体３０に摺接するように構成されているが、除電ブラシ４１および除電ブラシ４１を保持する保持機構の構成が第１実施例とは異なる。また、本実施例には記録ユニット挿入蓋が設けられていない。
【００２２】
記録ユニット挿入口１９近傍に設けられた除電ブラシ４１には、その表面に植毛列４１ａが多数植設されており、基端部で屈曲して記録ユニット挿入口１９の一方の縁部に設けられた軸４７回りに回動自在に支持されている。例えば図８の状態では、除電ブラシ４１は、トーションバネ４５の作用により矢印Ｃの方向に付勢されている。
【００２３】
植毛列保護部材５３は、記録ユニット挿入口１９のもう一方の縁部に設けられた軸５３ｃ回りに回動可能に設けられている。植毛列保護部材５３は、一方で軸５３ｃに支持された蓋部材５３ａと、この蓋部材５３ａの他方の端部に、蓋部材５３ａに垂直に設けられたストッパ部材５３ｂとにより構成される。
【００２４】
図８は、植毛列保護部材５３が閉塞位置にあるときの状態を示している。
植毛列保護部材５３は、植毛列保護部材５３に設けられた突起（図示せず）が、記録ユニット挿入口１９の枠体に設けられた孔（図示せず）に嵌合することにより閉塞位置に定められ、この閉塞位置では、ストッパ部材５３ｂの一端は、除電ブラシ４１に当接し、トーションバネ４５のバネ力に抗して、除電ブラシ４１を所定の位置に保持している。また、このとき、記録ユニット挿入口１９は、植毛列保護部材５３および除電ブラシ４１の板部材４１ｂにより閉塞され、これによりカメラ本体１１内部への塵埃等の進入が防がれている。また、植毛列４１ａは、植毛列保護部材５３の蓋部材５３ａおよびストッパ部材５３ｂにより外部より遮断されており、外部より保護されている。
【００２５】
図９は、記録ユニット２２挿入または排出動作時の状態を示す。
記録ユニット２２の先端が、除電ブラシ４１の板部材４１ｂを押圧することにより除電ブラシ４１が回動し、第１実施例と同様、植毛列４１ａの先端が電子現像型記録媒体３０に接触し、この状態で挿入または排出動作により記録ユニット２２が移動すると、植毛列４１ａと電子現像型記録媒体３０が相対移動し、電子現像型記録媒体３０の各記録面の塵埃および静電気が除去される。
【００２６】
図１０、１１は、記録ユニット挿入口１９を開放した状態を示している。
ストッパ部材５３ｂの爪５３ｄをもって図１０の反時計回りの方向に引っ張ると、突起と孔の係止が外れて、植毛列保護部材５３が反時計回りの方向に回動するとともに、除電ブラシ４１がトーションバネ４５の作用により時計回りに回動し、これらが図１１に示す開放位置に定められる。この状態において、植毛列４１ａの清掃作業等を容易に行うことができる。
【００２７】
図１２、１３は、本発明の第３実施例に係る電子現像型カメラの外観図である。本実施例では、電子現像型記録媒体３０に付着する塵埃の除去動作を選択的に実行できるように構成されている。
除電ブラシ４１は、軸Ｇ回りに回動可能に設けられており、この除電ブラシ４１の記録面に対向する面には、植毛列４１ａが、電子現像型記録媒体３０の記録面に垂直に多数植設される。植毛列４１ａは、記録ユニット２２の長手方向、すなわち電子現像型記録媒体３０が並列して並べられる方向に沿って電子現像型記録媒体３０のすべての記録面を完全に横断するよう延設され、植毛列４１ａの先端は、電子現像型記録媒体３０の各記録面に摺接する。
【００２８】
レバー部材６２は、一端で除電ブラシ４１に取り付けられ、このレバー部材６２の他端にはスライドスイッチ６３（操作部）が設けられている。スライドスイッチ６３は、カメラ本体１１の側面の、記録ユニット挿入蓋１８の近傍に形成された長孔６５に表出しており、長孔６５の範囲内において上下に移動可能である。
【００２９】
スライドスイッチ６３が長孔６５の最上方の初期位置（図１２に示す状態）に位置しているとき、除電ブラシ４１は、電子現像型記録媒体３０表面前方より待避しており、この状態において、撮影動作が行われる。スライドスイッチ６３を図の矢印の方向に上下移動させると、除電ブラシ４１が軸Ｇを中心に回動し、植毛列４１ａの先端が電子現像型記録媒体３０に摺接し、電子現像型記録媒体３０の静電気および塵埃が除去される。
【００３０】
図１４、１５は、本発明の第４実施例に係る電子現像型カメラの概観図である。
本実施例では第３実施例と異なり、スライドスイッチ６３が表出する長孔６５は、カメラ本体１１上方のレリーズスイッチ１４とは反対側に形成され、除電ブラシ４１は、スライドスイッチ６３が設けられたレバー部材６２に固定されている。除電ブラシ４１は、記録ユニット挿入口１９近傍に設けられ、記録ユニット２２挿入時に、除電ブラシ４１の植毛列４１ａは、電子現像型記録媒体３０の記録面の一方を完全に横断するように延設されている。
【００３１】
スライドスイッチ６３が、図１４に示すような塵埃除去位置にあるとき、植毛列４１ａの先端は、挿入動作中の電子現像型記録媒体３０の記録面に摺接する位置に定められ、この状態で記録ユニット２２を挿入すると、電子現像型記録媒体３０の各記録面の静電気および塵埃が除去される。一方、スライドスイッチ６３が、図１５に示すような開放位置にあるとき、植毛列４１ａの先端は、挿入動作中の記録ユニット２２の記録面からかなり離れた位置に定められ、記録ユニット２２の着脱動作において、除電ブラシ４１による塵埃除去作業が行われない。
【００３２】
このように本実施例では、スライドスイッチ６３を操作することにより、除電ブラシ４１による塵埃除去動作を行うか否かを作業者が任意に選択することができ、必要に応じて塵埃除去作業を行うことができる。
【００３３】
図１６、１７は、本発明の第５実施例に係る電子現像型カメラの概観図である。
除電ブラシ４１は、ローラ状に形成され、記録ユニット２２の挿入または排出時に通る進路中に、軸７１回りに回動可能に設けられている。除電ブラシ４１の表面には、植毛列４１ａが放射状に多数植設され、また植毛列４１ａの下方にはピニオン７３が形成される。
【００３４】
一方、記録ユニット２２には、ピニオン７３と噛合するラック７４が形成される。ラック７４は、記録ユニット２２の挿入または排出時の進行方向、本実施例では電子現像型記録媒体３０の各記録面が並列に並べられる方向に沿って延設される。記録ユニット２２の挿入および排出時、ピニオン７３がラック７４に噛合することにより記録ユニット２２の移動とともに除電ブラシ４１が回動し、これにより植毛列４１ａが電子現像型記録媒体３０の記録面に対して相対移動し、電子現像型記録媒体３０表面の塵埃および静電気が除去される。
【００３５】
【発明の効果】
以上のように本発明によれば、電子現像型記録媒体を用いたカメラにおいて、カメラ本体に装填される電子現像型記録媒体表面に付着する塵埃を有効に除去することができる。
【図面の簡単な説明】
【図１】本発明の第１実施例に係る電子現像型カメラの一部破断図である。
【図２】図１の電子現像型カメラの上面図である。
【図３】（ａ）は図１の除電ブラシおよび保持部の斜視図であり、（ｂ）は他の例を示す。
【図４】図１の電子現像型カメラの概観図である。
【図５】図１の電子現像型カメラの概観図である。
【図６】電子現像型記録媒体の構成を示す図である。
【図７】本発明の第２実施例に係る電子現像型カメラの概観図である。
【図８】図７の電子現像型カメラの上面図である。
【図９】図７の電子現像型カメラの上面図である。
【図１０】図７の電子現像型カメラの上面図である。
【図１１】図７の電子現像型カメラの概観図である。
【図１２】本発明の第３実施例に係る電子現像型カメラの一部破断図である。
【図１３】図１２の電子現像型カメラの一部破断図である。
【図１４】本発明の第４実施例に係る電子現像型カメラの概観図である。
【図１５】図１４の電子現像型カメラの概観図である。
【図１６】本発明の第５実施例に係る電子現像型カメラの概観図である。
【図１７】図１６の電子現像型カメラの概観図である。
【符号の説明】
１１  カメラ本体
２２  記録ユニット
３０  電子現像型記録媒体
４１  除電ブラシ
４１ａ  植毛列
４３  保持部
【図１】
0003590449.tif 000002
【図２】
0003590449.tif 000003
【図３】
0003590449.tif 000004
【図４】
0003590449.tif 000005
【図５】
0003590449.tif 000006
【図６】
0003590449.tif 000007
【図７】
0003590449.tif 000008
【図８】
0003590449.tif 000009
【図９】
0003590449.tif 000010
【図１０】
0003590449.tif 000011
【図１１】
0003590449.tif 000012
【図１２】
0003590449.tif 000013
【図１３】
0003590449.tif 000014
【図１４】
0003590449.tif 000015
【図１５】
0003590449.tif 000016
【図１６】
0003590449.tif 000017
【図１７】
0003590449.tif 000018